(57)【特許請求の範囲】
【請求項１】
流体の流路を切り換えるための切換弁部と、前記切換弁部を作動させるために電気的に制御されるアクチュエータ部とを備えた電磁弁に設けられ、前記アクチュエータ部の制御から独立して前記切換弁部を強制的に作動させるために操作される手動装置であって、
前記切換弁部を作動させるために外部から操作される操作部材と、
前記操作部材を覆う閉じ位置と、前記操作部材を露出させる開き位置とに選択的に切り換え配置されるカバーと、
前記電磁弁は複数の電磁弁が互いに隣接して配置されるものであり、それら個々の電磁弁に対して前記操作部材及び前記カバーがそれぞれ設けられることと、
前記カバーは他のカバーと連結するための連結手段を有し、前記連結手段は前記複数の電磁弁が互いに隣接して配置されたときに、前記全てのカバーが連動して切り換え配置されるように前記隣り合うカバーを互いに連結させることと
を備えたことを特徴とする電磁弁の手動装置。
【請求項２】
請求項１に記載の電磁弁の手動装置において、
前記カバーが前記閉じ位置に配置されたときに、同位置にカバーを固定するための固定手段を更に設けたことを特徴とする電磁弁の手動装置。
【請求項３】
請求項１に記載の電磁弁の手動装置において、
前記カバーは互いに組み付けられる支軸及び軸受の一方を有し、前記切換弁部は前記支軸及び前記軸受の他方を有し、前記カバーは前記軸受に組み付けられた前記支軸を中心に回動されることにより、前記閉じ位置と前記開き位置とに切り換え配置されることと、
前記軸受は前記支軸を内包する軸受孔と、前記軸受孔をその半径方向へ開ける開口とを有することと、
前記支軸は異形をなし、前記カバーが前記閉じ位置と前記開き位置との間の所定の中間位置に配置されて前記支軸の形状が前記開口と整合するときにのみ、前記軸受と前記支軸との分離が許容されることと
を備えたことを特徴とする電磁弁の手動装置。
【請求項４】
請求項３に記載の電磁弁の手動装置において、
前記カバーが前記閉じ位置に配置されたときに、同位置に前記カバーを固定するための固定手段と、
前記固定手段は前記カバーを前記切換弁部に締め付けるためのネジを含み、前記ネジは前記カバーに設けられた孔にねじ込まれて保持されるようになっていることと
を備えたことを特徴とする電磁弁の手動装置。
【請求項５】
請求項３又は請求項４に記載の電磁弁の手動装置において、前記カバーが前記閉じ位置に配置されたときに、同位置に前記カバーを掛け止めするための掛止手段を設けたことを特徴とする電磁弁の手動装置。
【発明の詳細な説明】
【０００１】
【発明の属する技術分野】
この発明は、流体の流路を切り換えるたの切換弁部と、その切換弁部を作動させるために電気的に制御されるアクチュエータ部とを備えた電磁弁に係る。特に詳しくは、上記電磁弁に設けられ、アクチュエータ部の制御から独立して切換弁部を強制的に作動させるために操作される電磁弁の手動装置に関する。
【０００２】
【従来の技術】
従来より、気体の流路を切り換えるために使用される電磁弁がある。この種の電磁弁は、スプール弁を内蔵する切換弁部と、そのスプール弁を駆動するために電気的に制御されるアクチュエータ部とを有する。
【０００３】
この種の電磁弁は、空気圧回路を含むある種の機械設備に使用される。ここで、電磁弁は、そのアクチュエータ部が所定のシーケンスプログラム等に基づいて自動制御される。その一方で、上記機械設備の組立調整、或いは、そのメンテナンスの際には、電磁弁をアクチュエータ部の制御から独立して任意に駆動させる必要がある。そこで、この種の電磁弁には、スプール弁を任意に且つ強制的に駆動するために操作される手動装置が設けられる。
【０００４】
この種の手動装置は切換弁部に設けられる手動ボタン、手動摘み等の操作部材を含む。この操作部材は、外観の上で切換弁部の外部へ露出する。このため、使用者等がその操作部材に誤って触れた場合には、手動装置が作動して電磁弁が不用意に誤作動するおそれがある。
【０００５】
そこで、操作部材の誤操作を回避するために、手動装置にカバーを設け、そのカバーで操作部材を覆うことが考えられる。このカバーを必要な場合に開ければ、操作部材の操作が可能となり、不要な場合にカバーを閉めれば、操作部材の誤操作が防止される。これにより、上記の誤作動が有効に防止される。
【０００６】
ところで、上記機械設備に複数の電磁弁が設けられる場合に、それらの電磁弁が互いに並列に配置（連設）されることにより一組の電磁弁群が構成される。この電磁弁群を構成する個々の電磁弁にカバーが設けられた場合、個々の電磁弁の操作部材を操作するには、各カバーを個別に開ける必要がある。しかし、上記機械設備の調整には、一組の電磁弁群につき、複数の電磁弁の操作部材を一度に操作しなければならない場合も少なくない。この場合には、個々の操作部材毎にカバーを個別に開閉しなければならず、その作業が煩雑である。
【０００７】
そこで、図１４に示すように、一組の電磁弁群３１において、複数の電磁弁３１Ａ，３１Ｂ，３１Ｃ，３１Ｄ，３１Ｅ，３１Ｆの各操作部材３２を一度に開閉することのできる一体型のカバー３３を設けることが考えられる。
【０００８】
【発明が解決しようとする課題】
ところが、上記一体型のカバー３３では、潜在的な問題として、電磁弁群３１を構成する電磁弁３１Ａ〜３１Ｆの連設数が異なる場合に、その数に応じた長さを有するカバーを用意する必要がある。このことは、機械設備の仕様に応じて電磁弁３１Ａ〜３１Ｆの数を任意に追加したり、除去したりすることを考慮すれば、複数の電磁弁３１Ａ〜３１Ｆの他に、異なる長さを有するカバーを予め幾種類も準備しなければならないという弊害をもたらす。
【０００９】
一方、操作部材３２を覆うカバー３３について、このカバー３３が、操作部材３２の操作を必要としないときまで容易に開かれたのでは、複数の操作部材３２が一度に外部へ露出することになり、それらが誤操作されるおそれがある。
【００１０】
この発明は前述した事情に鑑みてなされたものであって、その第１の目的は、互いに隣接して配置された複数の電磁弁の手動装置につき、カバーにより覆われる複数の操作部材を必要なときだけ同時に露出させて操作を許容することを可能とし、しかも、部品の種類を増やすことなく、電磁弁の追加又は除去に合わせてカバーのサイズ、特にはカバーの長さ（連設）方向のサイズを容易に変更することを可能にした電磁弁の手動装置を提供することにある。
【００１１】
この発明の第２の目的は、第１の目的に加え、操作部材を不用意に露出させることのない電磁弁の手動装置を提供することにある。
【００１２】
【課題を解決するための手段】
上記第１の目的を達成するために請求項１に記載の第１の発明は、流体の流路を切り換えるための切換弁部と、その切換弁部を作動させるために電気的に制御されるアクチュエータ部とを備えた電磁弁に設けられ、アクチュエータ部の制御から独立して切換弁部を強制的に作動させるために操作される手動装置であって、切換弁部を作動させるために外部から操作される操作部材と、操作部材を覆う閉じ位置と、操作部材を露出させる開き位置とに選択的に切り換え配置されるカバーと、電磁弁は複数の電磁弁が互いに隣接して配置されるものであり、それら個々の電磁弁に対して操作部材及びカバーがそれぞれ設けられることと、カバーは他のカバーと連結するための連結手段を有し、その連結手段は複数の電磁弁が互いに隣接して配置されたときに、全てのカバーが連動して切り換え配置されるように隣り合うカバーを互いに連結させることとを備えたことを趣旨とする。
【００１３】
上記第１の発明の構成によれば、アクチュエータ部が電気的に制御されることにより、切換弁部が作動して流体の流路が切換られる。一方、手動装置の操作部材が外部から操作されることにより、アクチュエータ部の制御から独立して切換弁部が強制的に作動され、流体の流路が任意に切り換えられる。
【００１４】
ここで、個々の電磁弁において、カバーは操作部材を覆う閉じ位置と、操作部材を露出させる開き位置との間で切り換え配置される。そして、複数の電磁弁が互いに隣接して配置されることにより、隣り合うカバーが互いに連結手段により連結される。これにより、全てのカバーが、閉じ位置と開き位置との間で、連動して切り換え配置されるように、全てのカバーが一体的に連結される。
【００１５】
従って、上記一体的なカバーが閉じ位置に配置されることにより、全ての手動装置の操作部材が各カバーにより同時に覆われる。上記一体的なカバーが開き位置に配置されることにより、全ての操作部材が同時に露出される。
【００１６】
更に、上記隣接した複数の電磁弁に別の電磁弁を追加したり、複数の電磁弁から幾つかの電磁弁を除去したりする。この場合に、その追加又は除去される電磁弁のカバーを一体的なカバーに連結したり、一体的なカバーから引き離すことにより、一体的なカバーのサイズが変えられる。
【００１７】
上記第２の目的を達成するために請求項２に記載の第２の発明は、第１の発明の構成において、カバーが閉じ位置に配置されたときに、同位置にカバーを固定するための固定手段を更に設けたことを趣旨とする。
【００１８】
上記第２の発明の構成によれば、第１の発明の作用に加え、カバーが固定手段により固定されることから、カバーの閉じ位置から開き位置への配置換えが規制される。
【００１９】
上記第１の目的を達成するために請求項３に記載の第３の発明は、第１の発明の構成において、カバーは互いに組み付けられる支軸及び軸受の一方を有し、切換弁部は支軸及び軸受の他方を有し、カバーは軸受に組み付けられた支軸を中心に回動されることにより、閉じ位置と開き位置とに切り換え配置されることと、軸受は支軸を内包する軸受孔と、軸受孔をその半径方向へ開ける開口とを有することと、支軸は異形をなし、カバーが閉じ位置と開き位置との間の所定の中間位置に配置されて支軸の形状が開口と整合するときにのみ、軸受と支軸との分離が許容されることとを備えたことを趣旨とする。
【００２０】
上記第３の発明の構成によれば、第１の発明の作用に加え、カバーは軸受に組み付けられた支軸を中心に回動され、閉じ位置と開き位置とに切り換え配置される。そして、カバーが所定の中間位置に配置されて支軸の形状が開口と整合したときにのみ、支軸と軸受との分離が許容される。この逆に、カバーを所定の中間位置に配置して開口を支軸の形状と整合させることにより、支軸を軸受孔に内包させて軸受を支軸に組み付けることが可能となる。
【００２１】
上記第２の目的を達成するために請求項４に記載の第４の発明は、第３の発明の構成において、カバーが閉じ位置に配置されたときに、同位置にカバーを固定するための固定手段と、固定手段はカバーを切換弁部に締め付けるためのネジを含み、ネジはカバーに設けられた孔にねじ込まれて保持されるようになっていることとを備えたことを趣旨とする。
【００２２】
上記第４の発明の構成によれば、第３の発明の作用に加え、カバーが固定手段により固定されることから、カバーの閉じ位置から開き位置への配置換えが規制される。加えて、固定手段を構成するネジがカバーの孔にねじ込まれて保持されることから、カバーが閉じ位置に固定されないときに、ネジがカバーから脱落することがない。
【００２３】
上記第２の目的を達成するために請求項５に記載の第５の発明は、第３又は第４の発明の構成において、カバーが閉じ位置に配置されたときに、同位置にカバーを掛け止めするための掛止手段を設けたことを趣旨とする。
【００２４】
上記第５の発明の構成によれば、第３又は第４の発明の作用に加え、カバーが閉じ位置において掛止手段により掛け止めされる。必要に応じてカバーに力を加え、係止手段による掛け止めを解除することにより、カバーの閉じ位置から開き位置への配置換えが許容される。
【００２５】
【発明の実施の形態】
〔第１の実施の形態〕
以下、本発明に係る電磁弁の手動装置を具体化した第１の実施の形態を図１〜図６を参照して詳細に説明する。
【００２６】
図１，２に示すように、この実施の形態では、所定の機械設備に設けられる集積型の電磁弁群１が示される。この電磁弁群１は、互いに隣接して並列に配置された複数の電磁弁１Ａ，１Ｂ，１Ｃ，１Ｄ，１Ｅ，１Ｆ及び給排気用ブロック２０を備え、それらが一対のエンドブロック２，３の間で保持されることにより集積される。この実施の形態では、両エンドブロック２，３の間で電磁弁１Ａ〜１Ｆの一部を除去したり、電磁弁１Ａ〜１Ｆに別の電磁弁を追加したりすることにより、電磁弁群１を構成する電磁弁の数が適宜に変えられる。
【００２７】
個々の電磁弁１Ａ〜１Ｆは幅寸法の小さい箱形をなす。各電磁弁１Ａ〜１Ｆは切換弁部４と、その片側に設けられたアクチュエータ部５とを備える。各切換弁部４は流体（気体）の流路を切り換えるための弁体（スプール弁）を内蔵する。各アクチュエータ部５はスプール弁を駆動するために電気的に制御されるソレノイド弁等を有する。各切換弁部４は、図１，２において、その上側に手動装置６を有する。各手動装置６は、個々の切換弁部４のスプール弁をアクチュエータ部５の制御から独立して強制的、かつ任意に駆動するために操作される。
【００２８】
各手動装置６は、図１，２において、切換弁部４の上側に配置された操作部材７と、一つのカバー８とを備える。各操作部材７はスプール弁を駆動するために外部から押圧又は回動される。各カバー８はその基端部が切換弁部４に設けられた軸受９に回動可能に組み付けられる。各カバー８は、その基端部を中心に操作部材７を覆う閉じ位置と、操作部材７を外部へ露出させる開き位置との間で選択的に切り換え配置される。このように、個々の電磁弁１Ａ〜１Ｆにつき、操作部材７及びカバー８がそれぞれ設けられる。
【００２９】
各切換弁部４はアクチュエータ部５と反対側の側面に一対の管継手１０を有する。これら管継手１０には、気体を流すための配管（図示しない。）が接続される。各電磁弁１Ａ〜１Ｆにより切り換えられる気体は、各管継手１０から配管を通じて所定の流体機器へ供給される。
【００３０】
個々の電磁弁１Ａ〜１Ｆは所定の連結手段（図示しない）を介して互いに連結される。電磁弁群１の両端に位置する電磁弁１Ａ，１Ｆは、同じく連結手段（図示しない）を介して対応するエンドブロック２，３に連結される。
【００３１】
図３〜図５に示すように、個々のカバー８は断面コの字状の本体８ａと、その本体８ａの基端部に設けられた支軸部８ｂとを有する。本体８ａはその一方の側壁８ｃに、側方へ突出する係合突起８ｄを有する。本体８ａはその他方の側壁８ｅに前記係合突起８ｄに整合する係合孔８ｆを有する。これら係合突起８ｄ及び係合孔８ｆは、個々のカバー８を他のカバー８と連結するための本発明の連結手段を構成する。
【００３２】
図６に示すように、各電磁弁１Ａ〜１Ｆが互いに並列に集積される際に、隣り合うカバー８，８の一方の係合突起８ｄを他方のカバー８の係合孔８ｆに係合させることにより、隣り合うカバー８，８が互いに連結される。これにより、複数のカバー８が互いに連結されて連動する一体的なカバー１１が構成される。このように、一つの電磁弁群１において構成される一体的なカバー１１は、図１に示すように、全ての操作部材７を一度に露出させる開き位置と、図２に示すように、全ての操作部材７を一度に覆う閉じ位置との間で切り換え配置される。
【００３３】
図３，４に示すように、各カバー８の本体８ａはその先端部に半円弧状の凹部８ｇを有する。図１，２に示すように、この凹部８ｇは対応する切換弁部４に形成された半円弧状の凹部４ａに整合する。両凹部８ｇ，４ａが互いに整合することにより、円形状をなす一つのネジ孔１２が構成される。図２に示すように、これらネジ孔１２の少なくとも一つにはネジ１３が填められる。このネジ孔１２及びネジ１３は、本発明の固定手段を構成する。ネジ孔１２に填められたネジ１３が切換弁部４の一部に締め付けられることにより、一体的なカバー１１がその閉じ位置において、切換弁部４に対して固定される。
【００３４】
以上説明したように、この実施の形態の手動装置６の構成によれば、各電磁弁１Ａ〜１Ｆのアクチュエータ部５が電気的に制御されることにより、スプール弁が駆動され、切換弁部４における気体の流路が切換られる。一方、各手動装置６の操作部材７が外部から操作されることにより、スプール弁がアクチュエータ部５の制御から独立して強制的に駆動され、切換弁部４における気体の流路が任意に切り換えられる。切り換えられた気体は管継手１０を介して配管に流れる。
【００３５】
ここで、個々の電磁弁１Ａ〜１Ｆにおいて、各カバー８は操作部材７を覆う閉じ位置と、操作部材７を露出させる開き位置との間で独自に切り換え配置される。そして、図１，２に示すように、複数の電磁弁１Ａ〜１Ｆが集積されることにより、隣り合うカバー８が互いに係合突起８ｄ及び係合孔８ｆにより連結される。そして、全てのカバー８が互いに連結されて、閉じ位置と開き位置との間で連動して切り換え配置される一体的なカバー１１が形成される。
【００３６】
従って、この一体的なカバー１１が閉じ位置に配置されると、全ての電磁弁１Ａ〜１Ｆの操作部材７が各カバー８により同時に覆われる。この結果、全ての操作部材７につき、それらの外部からの操作を同時に阻止することができ、全操作部材７の誤操作を一度に防止することができる。一方、一体的なカバー１１が開き位置に配置されると、全ての操作部材７が同時に露出される。この結果、各カバー８により覆われる全ての操作部材７につき、それらを必要なときだけ同時に露出させて操作を許容することができる。このため、機械設備の調整に際し、全ての電磁弁１Ａ〜１Ｆの操作部材７を一度に操作しなければならない場合には、個々の操作部材７毎に対応するカバー８を個別に開閉する必要がない。この意味で、機械設備の調整作業における手間を省くことができる。
【００３７】
この実施の形態の電磁弁群１では、複数の電磁弁１Ａ〜１Ｆに対して別の電磁弁を追加するときには、その追加される電磁弁のカバー８が一体的なカバー１１に係合突起８ｄ及び係合孔８ｆの関係で連結される。或いは、複数の電磁弁１Ａ〜１Ｆの中から一部の電磁弁を除去するときには、その除去される電磁弁のカバー８が一体的なカバー１１から引き離される。これにより、一体的なカバー１１のサイズ（長さ）が変えられる。このため、電磁弁の数の違いに合わせて、予め異なる長さを有するカバーを幾種類か用意しておく必要がない。この意味で、電磁弁群１を構成する部品の種類を増やすことなく、電磁弁の追加又は除去に合わせて、一体的なカバー１１のサイズ（長さ）を容易に変更することができる。
【００３８】
この実施の形態によれば、一体的なカバー１１がネジ１３により切換弁部４に固定されることから、一体的なカバー１１の閉じ位置から開き位置への配置換えが規制される。このため、一体的なカバー１１が、操作部材７の操作を必要としないときまで容易に開かれて複数の操作部材７が一度に露出されることがなく、それらの誤操作を確実に防止することができる。更には、一体的なカバー１１のガタツキを抑え、その振動騒音を抑えることができる。
【００３９】
この実施の形態では、各電磁弁１Ａ〜１Ｆのそれぞれに個別にカバー８が設けられる。このため、各電磁弁１Ａ〜１Ｆを単独で使用するときにも、そのカバー８を有効に機能させることができる。即ち、単独の電磁弁１Ａ〜１Ｆにつき、カバー８を開けることにより、一対の操作部材７を外部へ露出させ、カバー８を閉じることにより、操作部材７を覆うことができる。
【００４０】
〔第２の実施の形態〕
次に、本発明に係る電磁弁の手動装置を具体化した第２の実施の形態を図７〜図１３を参照して詳細に説明する。尚、この実施の形態において、前記第１の実施の形態と機能的に同一の構成要素については、同一の符号を付してその説明を省略する。従って、以下には、第１の実施の形態と異なる点を中心に説明する。
【００４１】
この実施の形態では、手動装置２１の構成の点で第１の実施の形態の手動装置６と異なる。即ち、図７に示すように、この実施の形態の電磁弁群１は、複数の電磁弁１Ａ，１Ｂ，１Ｃ，１Ｄ，１Ｅ，１Ｆ，１Ｇ，１Ｈ及び給排気用ブロック２０を備え、それらが一対のエンドブロック２，３の間で保持されることにより集積される。各手動装置２１は各切換弁部４の上側に設けられた一対の操作部材と、それら操作部材に対応して設けられた一対をなすベース２２及びカバー２３とを備える。ベース２２は各切換弁部４の上面に固定される。図７において、操作部材はベース２２に隠れて見えない。各カバー２３はその基端部が各ベース２２に対して回動可能に組み付けられる。即ち、図８，９に示すように、各カバー２３はその基端部に設けられた軸受２３ａが各ベース２２に設けられた支軸２２ａに回動可能に組み付けられる。各カバー２３は、その軸受２３ａを中心に図８に示すように操作部材７を覆う閉じ位置と、図９に示すように操作部材７を外部へ露出させる開き位置との間で選択的に切り換え配置される。このように、個々の電磁弁１Ａ〜１Ｈにつき、操作部材７、ベース２２及びカバー２３がそれぞれ設けられる。
【００４２】
図１０に示すように、個々のベース２２はその上側操作面２２ｂに複数の孔２２ｃ，２２ｄ，２２ｅを有する。三つのネジ孔２２ｃには、ベース２２を切換弁部４に固定するためのネジ（図示しない）が組み込まれる。一対の操作孔２２ｄには、図８，９に示すように、各切換弁部４に設けられた操作部材７の頭部が整合する。一つのネジ穴２２ｅには、カバー２３を固定するための後述する固定用のタッピンネジ２５が締め付けられる。図１０において、ベース２２の手前側面には、係合溝２２ｆが設けられる。図１０において、ベース２２の後側に設けられた凸部２２ｇの両側面には、同一軸線上に配置された前述した一対の支軸２２ａ（図１０には、その一方のみが図示される。）が突設される。図８〜１０に示すように、支軸２２ａは異形、即ち長円の断面形状をなす。
【００４３】
図８〜１０に示すように、個々のカバー２３は平板状の本体２３ｂと、その本体２３ｂの基端部に設けられた前述した一対の軸受２３ａと、本体２３ｂの先端部に設けられた係合爪２３ｃとを有する。本体２３ｂはその一方の側面に、側方へ突出する係合突起２３ｄを有する。又、本体２３ｂはその他方の側面に前記係合突起２３ｄに整合する係合孔（図示しない）を有する。これら係合突起２３ｄ及び係合孔は、個々のカバー２３を他のカバー２３と連結するための本発明の連結手段を構成する。
【００４４】
第１の実施の形態の手動装置６と同様、各電磁弁１Ａ〜１Ｈが互いに並列に集積される際に、隣り合うカバー２３，２３の一方の係合突起２３ｄを他方のカバー２３の係合孔に係合させることにより、隣り合うカバー２３，２３が互いに連結される。これにより、図７に示すように、複数のカバー２３が互いに連結されて連動する一体的なカバー２４が構成される。このように、一つの電磁弁群１において構成される一体的なカバー２４は、図７に示すように、全てのベース２２の操作面２２ｂを露出させて全ての操作部材７を操作孔２２ｄから一度に露出させる開き位置と、全てのベース２２の操作面２２ｂに接合して全ての操作部材７（操作孔２２ｄ）を一度に覆う閉じ位置との間で切り換え配置される。
【００４５】
図１０，１２に示すように、各軸受２３ａは支軸２２ａを内包する軸受孔２３ｅと、その軸受孔２３ｅをその半径方向へ開ける開口２３ｆとを有する。軸受孔２３ｅの内径Ｒ１は長円形状をなす支軸２２ａの長径Ｒ２にほぼ等しい。開口２３ｆの幅Ｗ１は支軸２３ａの短径Ｒ３にほぼ等しい。そして、軸受２３ａが支軸２２ａに組み付けられた状態において、カバー２３が支軸２２ａを中心に回動されることにより、カバー２３は図８に示す閉じ位置と、図９に示す開き位置とに切り換え配置される。一方、図１１に示すように、カバー２が閉じ位置と開き位置との間の所定の中間位置、即ちカバー２３がベース２２に対して垂直をなす位置に配置されて、支軸２２ａの短径Ｒ３が開口２３ｆに整合するときにのみ、軸受２３ａと支軸２２ａとの分離が許容される。即ち、このとき、カバー２３を垂直に引き上げることにより、軸受２３ａが支軸２２ａから離脱してカバー２３がベース２２から引き離される。
【００４６】
手動装置２１は、カバー２３がその閉じ位置に配置されたときに、同位置にカバー２３を固定するための固定手段を備える。図１３に示すように、この固定手段は、各カバー２３の本体２３ｂに設けられた座ぐり２３ｇ及び座ぐり孔２３ｈを含む。この座ぐり孔２３ｈは、カバー２３がその閉じ位置に配置されたときに、ベース２２のネジ穴２２ｅに整合するものである。固定手段は、カバー２３をベース２２に締め付けるためのタッピンネジ２５を含む。このタッピンネジ２５のネジ山２５ａの外径は、座ぐり孔２３ｈの内径よりも若干大きい。このタッピンネジ２５のネジ首２５ｂは、普通のネジのそれよりも若干長い。このネジ首２５ｂの長さの範囲で、タッピンネジ２５と座ぐり孔２３ｈとの自由な相対移動が許容される。逆に、ネジ頭２５ｃ又はネジ山２５ａが座ぐり孔２３ｈの部分に係合することにより、タッピンネジ２５と座ぐり孔２３ｈとの相対移動が規制される。従って、タッピンネジ２５が座ぐり孔２３ｈに一旦ねじ込まれることにより、タッピンネジ２５は座ぐり孔２３ｈの部分で係止されて保持されることになる。
【００４７】
図７に示すように、一体的カバー２４における複数の座ぐり孔２３ｈの少なくとも一つ（図７に示す一体的カバー２４では二つの座ぐり孔２３ｈ）には、タッピンネジ２５がねじ込まれる。ここで、一体的カバー２４がその閉じ位置に一旦配置されると、各カバー２３の係合爪２３ｃが対応するベース２２の係合溝２２ｆに係合し、カバー２３がベース２２に掛け止めされることになる。このため、一旦、閉じ位置に配置された一体的カバー２４が不用意に開くことはない。この実施の形態において、係合爪２３ｃ及び係合溝２２ｆは、本発明の掛止手段を構成する。ここで、座ぐり穴２３ｈにねじ込まれたタッピンネジ２５がベース２２のネジ穴２２に締め付けられることにより、一体的なカバー２４はその閉じ位置において、切換弁部４に固定される。
【００４８】
従って、この実施の形態でも、一体的なカバー２４が閉じ位置に配置されると、全ての電磁弁１Ａ〜１Ｈにおける各ベース２２の操作面２２ｂが対応するカバー２３により同時に覆われる。この結果、全ての操作部材７につき、それらの外部からの操作を同時に阻止することができ、全操作部材７の誤操作を一度に防止することができる。一方、一体的なカバー２４が開き位置に配置されると、全てのベース２２の操作面２２ｂが同時に外部へ露出される。これにより、各カバー２３により覆われる全ての操作部材７につき、それらを必要なときにだけ同時に露出させて操作することができる。このため、機械設備の調整に際し、全ての電磁弁１Ａ〜１Ｈの操作部材７を一度に操作しなければならない場合に、個々の操作部材７毎に対応するカバー２３を個別に開閉する必要がなく、機械設備の調整作業における手間を省くことができる。
【００４９】
この実施の形態でも、各カバー２３の係合突起２３ｄ及び係合孔により隣り合うカバー２３，２３が互いに連結され、或いは分離される。従って、一体的なカバー２３のサイズ（長さ）が自由に変えられる。このため、電磁弁の数の違いに合わせて、予め異なる長さを有するカバーを幾種類か用意しておく必要がない。この意味で、各種状況に応じた電磁弁群１を構成するために、部品の種類を増やすことなく、電磁弁１Ａ〜１Ｈが追加又は除去されるのに応じて、一体的なカバー２４のサイズ（長さ）を容易に変更することができる。
【００５０】
この実施の形態では、カバー２３が支軸２２ａと軸受２３ａとの係合により回動され、閉じ位置と開き位置とに切り換え配置される。そして、カバー２３がベース２２に対して垂直となる中間位置に配置され、支軸２２ａが軸受孔２３ｅの開口２３ｆと整合したときにのみ、支軸２２ａと軸受２３ａとの分離が許容される。この逆に、カバー２３を上記中間位置に配置して開口２３ｆを支軸２２ａの形状と整合させると、支軸２２ａを軸受孔２３ｅに内包させて軸受２３ａを支軸２２ａに組み付けることができる。この結果、各カバー２３を特定の中間位置に配置したとにきだけ、カバー２３をベース２２に対して容易に着脱することができる。その反面、カバー２３がベース２２に組み付けられた状態においては、カバー２３を特定の中間位置に配置しない限り、ベース２２からのカバー２３の引き離しが許容されることはない。このため、カバー２３がベース２２から不用意に取り外されることを防止することができる。つまり、通常の使用時には、切換弁部４に対してカバー２３を有効に機能させることができる。併せて、必要に応じてカバー２３を切換弁部４に対して容易に着脱させることができるのである。
【００５１】
この実施の形態では、カバー２３がタッピンネジ２５によりベース２２に固定されることから、カバー２３の閉じ位置からの移動が規制される。このため、一体的なカバー２４が不用意に開かれて複数の操作部材７が一度に不用意に露出することはなく、それらの誤操作を確実に防止することができる。更には、一体的なカバー２４のガタツキを抑え、振動騒音の発生を抑えることができる。加えて、タッピンネジ２５が各カバー２３の座ぐり孔２３ｈに一旦ねじ込まれると、同ネジ２５が座ぐり孔２３ｈに保持される。このため、タッピンネジ２５が使用されないときにも、タッピンネジ２５がカバー２３から脱落することがなく、タッピンネジ２５の紛失を防止することができる。
【００５２】
この実施の形態では、カバー２３がその閉じ位置に配置されたときに、係合爪２３ｃと係合溝２２ｆとの係合関係によりカバー２３がベース２２に掛け止めされる。このため、カバー２３がタッピンネジ２５によりベース２２に固定されないときにも、閉じ位置に配置されたカバー２３が不用意に開くことはない。このことは、例えば、図７に示す電磁弁群１が、その底面側を垂直な壁面に沿わせて取り付けられたときに、一体的なカバー２４がその自重により、閉じ位置から不用意に開くのを防止することができる。必要に応じてカバー２３に力を加え、係合爪２３ｃ及び係合溝２２ｆによる掛け止めを解除すると、カバー２３の閉じ位置から開き位置への配置換えが許容される。
【００５３】
この実施の形態においても、単独で使用される電磁弁１Ａ〜１Ｈにつき、カバー２３を開けることにより、操作部材７を外部へ露出させ、カバー２３を閉じることにより、操作部材７を覆うことができる。
【００５４】
尚、この発明は前記各実施の形態に限定されるものではなく、発明の趣旨を逸脱しない範囲において以下のように実施することもできる。
【００５５】
（１）前記第１の実施の形態では、切換弁部４に対して基端部を中心に回動させることにより、操作部材７を覆う閉じ位置と、操作部材７を露出させる開き位置とに切り換え配置される一体的なカバー１１を設けた。これに対し、切換弁部に対してスライドさせることにより、操作部材を覆う閉じ位置と、操作部材を露出させる開き位置とに切り換え配置される一体的なカバーを設けてもよい。
【００５６】
（２）前記第１の実施の形態では、カバー８の本体８ａの先端にネジ孔１２を構成するための凹部８ｇを設けた。これに対し、内周に座ぐりを有するネジ孔をカバー８の本体８ａに直接設けてもよい。
【００５７】
（３）前記第１の実施の形態では、一体的なカバー１１を切換弁部４に固定するためにネジ孔１２及びネジ１３を設けたが、これらを省略してもよい。
【００５８】
（４）前記第１の実施の形態では、切換弁部４の片側のみにアクチュエータ部５を配置してなる電磁弁１Ａ〜１Ｆに具体化した。これに対し、切換弁部の両側に一対をなすアクチュエータ部を配置してなる電磁弁に具体化してもよい。
【００５９】
（５）前記第１の実施の形態では、係合突起８ｄに整合させる相手を係合孔８ｆとしたが、孔ではなく、凹みでもよい。
【００６０】
（６）前記第２の実施の形態では、カバー２３に軸受２３ａを設け、ベース２２に支軸２２ａを設けたが、カバー２３に支軸を設け、ベース２２に軸受を設けてもよい。
【００６１】
（７）前記第２の実施の形態では、切換弁部４とは別体をなし、同部材４に固定されるベース２２に支軸２２ａを設けたが、上記ベース２２を省略し、切換弁部と一体に支軸を設けてもよい。
【００６２】
（８）前記第２の実施の形態では、支軸２２ａを長円の断面形状を有する異形としたが、支軸を楕円の断面形状を有する異形に形成してもよい。
【００６３】
（９）前記第２の実施の形態では、軸受孔２３ｅ及び開口２３ｆをカバー２３の外側へ開放される形状としたが、両者２３ｅ，２３ｆをカバー２３の外側に対して閉塞される形状としてもよい。つまり、この場合は、軸受孔２３ｅ及び開口２３ｆがカバー２３の外側から見えなくなり、カバー２３の内側には軸受孔２３ｅ及び開口２３ｆと同じ外形及び機能を有する溝が形成されることになる。
【００６４】
【発明の効果】
請求項１に記載の第１の発明の構成によれば、複数の電磁弁のそれぞれに操作部材及びカバーを設け、それら電磁弁が互いに隣接して配置されたときに、全てのカバーが連動して開閉されるように、隣り合うカバーを互いに連結手段により連結して一体的なカバーを構成するようにしている。
【００６５】
従って、一体的なカバーが開閉されることにより、全ての電磁弁の操作部材が各カバーにより同時に覆われ、或いは同時に露出される。又、電磁弁の追加又は除去に伴い、一体的なカバーに対して個々のカバーが連結されたり、引き離されたりし、一体的なカバーのサイズが変えられる。このため、カバーにより覆われる複数の操作部材を必要なときだけ同時に露出させて操作を許容することができ、併せて、部品の種類を増やすことなく、電磁弁の追加又は除去に合わせてカバーのサイズを容易に変更することができるという効果を発揮する。
【００６６】
請求項２に記載の第２の発明の構成によれば、第１の発明の構成において、カバーを閉じ位置に固定するための固定手段を設けている。従って、第１の発明の作用及び効果に加えて、カバーの閉じ位置から開き位置への配置換えが規制される。このため、操作部材の操作が不要なときにまでカバーが容易に開かれて操作部材を不用意に露出させることを防止し、操作部材の誤操作を確実に防止することができるという効果を発揮する。
【００６７】
請求項３に記載の第３の発明の構成によれば、第１の発明の構成において、カバー及び切換弁部の一方に支軸を設け他方に軸受を設け、軸受に支軸を内包する軸受孔と軸受孔を半径方向へ開ける開口とを設ける。更に、支軸を異形とし、カバーが所定の中間位置に配置されて支軸の形状が開口と整合するときにのみ、支軸と軸受との分離が許容されるようにしている。従って、第１の発明の作用及び効果に加え、支軸の形状が開口と整合したときにのみ、支軸と軸受との分離が許容され、支軸と軸受との組み付けが可能となる。このため、通常の使用時には、切換弁部に対してカバーを有効に機能させることができ、必要に応じてカバーを切換弁部に対して容易に着脱させることができるという効果を発揮する。
【００６８】
請求項４に記載の第４の発明の構成によれば、第３の発明の構成において、カバーを切換弁部に締め付けるためのタッピンネジを設け、タッピンネジがカバーの座ぐり孔にねじ込まれるようにしている。従って、第３の発明の作用及び効果に加え、カバーの閉じ位置から開き位置への配置換えが規制される。このため、操作部材の操作が不要なときにまでカバーが容易に開かれて操作部材を不用意に露出させることを防止し、操作部材の誤操作を確実に防止することができる。加えて、タッピンネジが座ぐり孔に係合することになり、タッピンネジのカバーからの脱落が防止され、タッピンネジの紛失を防止することができるという効果を発揮する。
【００６９】
請求項５に記載の第５の発明の構成によれば、第３又は第４の発明の構成において、カバーが閉じ位置に配置されたときに、同位置にカバーを掛け止めするための掛止手段を設けている。従って、第３又は第４の発明の作用及び効果に加え、カバーが閉じ位置で掛け止めされ、その掛け止めを解除することにより、カバーの閉じ位置から開き位置への配置換えが許容される。このため、電磁弁の配置によっては、閉じ位置に配置されたカバーがその自重により、閉じ位置から不用意に開くのことを防止することができるという効果を発揮する。
【図面の簡単な説明】
【図１】本発明の電磁弁の手動装置を具体化した第１の実施の形態に係り、一体的なカバーを開けた状態を示す電磁弁群の斜視図である。
【図２】同実施の形態に係り、一体的なカバーを閉じた状態を示す電磁弁群の斜視図である。
【図３】同実施の形態に係り、一つのカバーを示す斜視図である。
【図４】同実施の形態に係り、一つのカバーを示す平面図である。
【図５】同実施の形態に係り、一つのカバーを示す側面図である。
【図６】同実施の形態に係り、電磁弁群を示す分解斜視図である。
【図７】本発明の電磁弁の手動装置を具体化した第２の実施の形態に係り、一体的なカバーを開けた状態を示す電磁弁群の斜視図である。
【図８】同実施の形態に係り、カバーが閉じ位置に配置された状態を示す手動装置の側面図である。
【図９】同実施の形態に係り、カバーが開き位置に配置された状態を示す手動装置の側面図である。
【図１０】同実施の形態に係り、カバーとベースを分解して示す斜視図である。
【図１１】同実施の形態に係り、カバーが中間位置に配置された状態を示す手動装置の側面図である。
【図１２】同実施の形態に係り、軸受と支軸との組み付け状態を拡大して示す部分破断側面図である。
【図１３】同実施の形態に係り、閉じ位置に配置されたカバーとタッピンネジとの関係を示す手動装置の側断面図である。
【図１４】従来の電磁弁の外観を示す斜視図である。
【符号の説明】
１          電磁弁群
１Ａ〜１Ｆ  電磁弁
４          切換弁部
５          アクチュエータ部
６          手動装置
７          操作部材
８          カバー
８ｄ        係合突起
８ｆ        係合孔（８ｄ，８ｆは連結手段を構成する。）
１１        一体的なカバー
１２        ネジ孔
１３        ネジ（１２，１３は固定手段を構成する。）
２２        ベース
２２ａ      支軸
２２ｆ      係合溝
２３        カバー
２３ａ      軸受
２３ｃ      係合爪（２２ｆ，２３ｃは係止手段を構成する。）
２３ｅ      軸受孔
２３ｆ      開口
２３ｈ      座ぐり孔
２５        タッピンネジ（２５は固定手段を構成する。）
【図１】
0003797755.tif 000002
【図２】
0003797755.tif 000003
【図３】
0003797755.tif 000004
【図４】
0003797755.tif 000005
【図５】
0003797755.tif 000006
【図６】
0003797755.tif 000007
【図７】
0003797755.tif 000008
【図８】
0003797755.tif 000009
【図９】
0003797755.tif 000010
【図１０】
0003797755.tif 000011
【図１１】
0003797755.tif 000012
【図１２】
0003797755.tif 000013
【図１３】
0003797755.tif 000014
【図１４】
0003797755.tif 000015